(57)【要約】      （修正有）【課題】記録情報の記録密度を向上させると共に、正確に再生することが可能なプリ情報を記録するためのプリ情報等を提供する。【解決手段】アドレス情報を含むプリ情報を情報記録媒体上のガイドトラックへ記録するためのプリ情報記録方法であって、記録情報における情報単位の長さを２以上の所定の整数倍したプリ情報単位の長さに対応する間隔を有すると共に、一のガイドトラックと隣接するガイドトラックにおけるプリ情報の記録位置が、ガイドトラックに垂直な方向において同一直線上にない位置で、且つ少なくとも一部のプリ情報がプリ情報単位において情報単位の長さで異なる記録パターンで記録されるように、生成されたプリ情報タイミング信号に基づいてプリ情報を情報記録媒体に記録する記録工程を備え、記録情報は複数のプリ情報単位によりなる情報単位列を複数有し、少なくとも一部のプリ情報は情報単位列毎に異なる記録パターンで記録される。【選択図】図３
2007128642.tif 000002
【特許請求の範囲】
【請求項１】
情報記録媒体上の位置を示すアドレス情報を含むプリ情報を当該情報記録媒体上のガイドトラックへ記録するためのプリ情報記録方法であって、
記録情報における情報単位の長さを２以上の所定の整数倍したプリ情報単位の長さに対応する間隔を有すると共に、一の前記ガイドトラックに記録される前記プリ情報の記録位置と、当該一のガイドトラックに隣接する他のガイドトラックにおける前記プリ情報の記録位置が、前記ガイドトラックに垂直な方向において同一直線上にない位置であって、且つ少なくとも一部のプリ情報が前記プリ情報単位において前記情報単位の長さで異なる記録パターンで記録されるように、プリ情報タイミング信号を生成するプリ情報タイミング信号生成工程と、
前記プリ情報タイミング信号に基づいて、前記プリ情報を前記情報記録媒体に記録する記録工程と、
を備え、
前記記録情報は、前記複数のプリ情報単位によりなる情報単位列を複数有し、
前記少なくとも一部のプリ情報は、前記情報単位列毎に異なる記録パターンで記録されることを特徴とするプリ情報記録方法。
【請求項２】
請求項１に記載のプリ情報記録方法において、
一の前記情報単位は、一シンクフレームであり、
前記プリ情報タイミング信号生成工程において、当該一シンクフレームを二倍した長さに対応する間隔で前記プリ情報タイミング信号を生成することを特徴とするプリ情報記録方法。
【請求項３】
請求項１又は２に記載のプリ情報記録方法において、
前記プリ情報は、前記記録情報を記録する際の記録フォーマットにより規定されるビット間隔に対応する単位長さの自然数倍で一の前記プリ情報単位毎に記録されることを特徴とするプリ情報記録方法。
【請求項４】
請求項１乃至３のいずれか一に記載のプリ情報記録方法において、
前記プリ情報は、前記記録情報を担う記録ピットにおける最短ピット長より短い長さのプリ情報ピットにより、一の前記プリ情報単位毎に記録されることを特徴とするプリ情報記録方法。
【請求項５】
請求項１乃至４のいずれか一に記載のプリ情報記録方法において、
前記プリ情報は、前記情報単位の先頭部に対応する位置に記録されることを特徴とするプリ情報記録方法。
【請求項６】
請求項１乃至５のいずれか一に記載のプリ情報記録方法において、
前記情報記録媒体はスタンパディスクであり、
前記スタンパディスクを用いて、情報の書き込みが可能なディスクを製造する工程をさらに備えることを特徴とするプリ情報記録方法。
【発明の詳細な説明】
【技術分野】
【０００１】
本発明は、ＤＶＤ（Digital Video Disk）に代表される、従来のＣＤ（Compact Disk）等よりも記録密度を飛躍的に向上させた情報記録媒体のうち、追記可能なＷＯ（Write Once）型の情報記録媒体（以下、ＤＶＤ−Ｒ（DVD-Recordable）という。）に対して、当該ＤＶＤーＲに対する画像情報等の記録情報の記録時及び再生時に必要なアドレス情報又は同期信号等の制御情報（以下、プリ情報という）を予め記録するための制御情報記録方法及び装置並びに当該プリ情報が記録されたＤＶＤーＲからプリ情報を再生して本来記録すべき上記記録情報を記録するための情報記録方法及び装置に関する。
【背景技術】
【０００２】
従来、追記可能な光ディスク等の情報記録媒体では、記録情報を書込む際の位置検索のためのプリ情報が予め情報記録媒体の製造時のプリフォーマット段階で情報記録媒体上に記録されていた。このプリ情報をプリフォーマットするための方法としては、従来、情報を記録する情報記録トラック（グルーブトラック又はランドトラック）を波型にウォブリングさせてプリ情報を記録するか、又は記録情報を記録する情報記録トラック上の記録情報を記録する部分とは別の部分にプリピットを形成して記録していた。
【発明の開示】
【発明が解決しようとする課題】
【０００３】
しかしながら、ウォブリングによるプリ情報のプリフォーマットの場合、ウォブリング信号に基づいて情報記録トラック自体を情報記録媒体の回転方向の対して左右に振ることとなるため、隣接情報記録トラックとの関係でウォブリング信号の変調度（ウォブリングの振幅）に制約があり、Ｃ／Ｎ比（Carrior to Noise ratio）が悪いという問題点があった。また、ウォブリングにより隣接情報記録トラックと接近するので、当該隣接情報記録トラックとの間に生じる干渉を考慮すると、トラックピッチをあまり狭くすることができず、記録密度の向上に限界があるという問題点もあった。
【０００４】
一方、プリピットによるプリ情報のプリフォーマットの場合、プリピットを情報記録トラック上に形成するので、プリピットを形成する分だけ本来の情報を記録することができなくなり、ディスク記録面の利用効率が悪いという問題点があった。
【０００５】
そこで、本発明は、上記の問題点に鑑みてなされたもので、その課題は、記録情報の記録密度を向上させると共に、正確に再生することが可能なプリ情報を記録するための制御情報（プリ情報）記録方法及び装置を提供し、更に、当該プリ情報が記録された情報記録媒体に対して、正確に再生することが可能な記録情報を記録するための情報記録方法及び装置を提供し、更にこれらの方法又は装置によりプリ情報及び記録情報が記録された情報記録媒体を提供することにある。
【課題を解決するための手段】
【０００６】
上記の課題を解決するために、請求項１に記載の発明は、情報記録媒体上の位置を示すアドレス情報を含むプリ情報を当該情報記録媒体上のガイドトラックへ記録するためのプリ情報記録方法であって、記録情報における情報単位の長さを２以上の所定の整数倍したプリ情報単位の長さに対応する間隔を有すると共に、一の前記ガイドトラックに記録される前記プリ情報の記録位置と、当該一のガイドトラックに隣接する他のガイドトラックにおける前記プリ情報の記録位置が、前記ガイドトラックに垂直な方向において同一直線上にない位置であって、且つ少なくとも一部のプリ情報が前記プリ情報単位において前記情報単位の長さで異なる記録パターンで記録されるように、プリ情報タイミング信号を生成するプリ情報タイミング信号生成工程と、前記プリ情報タイミング信号に基づいて、前記プリ情報を前記情報記録媒体に記録する記録工程と、を備え、前記記録情報は、前記複数のプリ情報単位によりなる情報単位列を複数有し、前記少なくとも一部のプリ情報は、前記情報単位列毎に異なる記録パターンで記録されることを特徴とする。
【発明を実施するための最良の形態】
【０００７】
次に本発明に好適な実施の形態について図面に基づいて説明する。
【０００８】
（Ｉ）プリ情報記録装置の実施形態
初めに、本願に対応する実施形態であるプリ情報に対応するプリピットを形成するためのカッティング装置の実施形態について、図１乃至図８を用いて説明する。なお、以下のカッティング装置の実施形態の説明においては、当該カッティング装置によりプリピットが形成された、本願に対応する情報記録媒体としてのＤＶＤ−Ｒの実施形態についても併せて説明する。
【０００９】
初めに、図１を用いて後述の本実施形態のカッティング装置によりプリピットが形成されているＤＶＤ−Ｒの構造について説明する。
【００１０】
図１において、ＤＶＤ−Ｒ１は色素膜５を備えた一回のみ情報の書込みが可能な色素型ＤＶＤ−Ｒであり、情報記録トラックとしてのグルーブトラック２と当該グルーブトラック２に再生光又は記録光としてのレーザビーム等の光ビームＢを誘導するためのガイドトラックとしてのランドトラック３が後述のカッティング装置により形成されている。また、それらを保護するための保護膜７及び記録された情報を再生する際に光ビームＢを反射するための金蒸着膜６を備えている。そして、このランドトラック３に後述のカッティング装置によりプリ情報に対応するプリピット４が形成されている。このプリピット４はＤＶＤ−Ｒ１を出荷する前に予め形成されているものである。
【００１１】
そして、ＤＶＤ−Ｒ１に記録情報（プリ情報以外の本来記録すべき画像情報等の情報）を記録する際には、後述の情報記録装置においてこのプリピット４を検出することにより予めプリ情報を取得し、それに基づいて記録光としての光ビームＢの最適出力等が設定されると共に、記録情報の記録すべきＤＶＤ−Ｒ１上の位置であるアドレス情報等が取得され、このアドレス情報に基づいて記録情報が対応する記録位置に記録される。
【００１２】
ここで、記録情報の記録時には、光ビームＢをその中心がグルーブトラック２の中心と一致するように照射してグルーブトラック２上に記録情報に対応する記録情報ピットを形成することにより記録情報を形成する。この時、光スポットＳＰの大きさは、図１に示すように、その一部がグルーブトラック２だけでなくランドトラック３にも照射されるように設定される。そして、このランドトラック３に照射された光スポットＳＰの一部の反射光を用いて後述のタンジェンシャルプッシュプル法によりプリピット４からプリ情報を検出してプリ情報が取得される。
【００１３】
次に、具体的に本実施形態のカッティング装置について説明する前に、本実施形態のカッティング装置により記録されるプリ情報の記録フォーマットについて、図２を用いて説明する。
【００１４】
図２に示すように、本実施形態のプリ情報は、情報単位としてのシンクフレーム毎に記録される。更に２６のシンクフレームにより情報単位列としての一のレコーディングセクタが形成される。そして、１６のレコーディングセクタにより一のＥＣＣ（Error Correcting Code）ブロックが形成される。更に、一のシンクフレームは、記録情報を記録する際の記録フォーマットにより規定されるビット間隔に対応する単位長さ（以下、Ｔという。）の１４８８倍（１４８８Ｔ）の長さを有している。
【００１５】
ここで、プリ情報は、夫々のシンクフレームの先頭の１４Ｔの長さの部分に記録されるわけであるが、その際、本実施形態においては、一のレコーディングセクタにおいては、偶数番目のシンクフレーム（以下、ＥＶＥＮフレームという。）のみ又は奇数番目のシンクフレーム（以下、ＯＤＤフレームという。）のみにプリ情報が記録される。なお、記録されるプリ情報は、同期プリ情報とデータプリ情報に分類されるが、このうち、同期プリ情報は、夫々のレコーディングセクタの先頭のプリ情報が記録されるべきシンクフレームの位置に記録され、ＥＶＥＮフレームに記録される同期プリ情報（ＥＶＥＮ同期プリ情報）と、ＯＤＤフレームに記録される同期プリ情報（ＯＤＤ同期プリ情報）とでは、図２に示すように異なるパターンで記録され、これを後述の記録情報の記録の際に読み取ることにより、プリ情報がＥＶＥＮフレームに記録されているか或はＯＤＤフレームに記録されているかが判別できるのである。
【００１６】
一方、データプリ情報については、複数のシンクフレームに分散して記録され、一のシンクフレームにおいては、図２に示すように、「１」に対応するデータプリ情報が２Ｔの長さで記録される。
【００１７】
なお、図２においては、レコー々ディングセクタ０においてはＥＶＥＮフレームにプリ情報を記録し、レコーディングセクタ２においてはＯＤＤフレームにプリ情報を記録した情報を示している。
【００１８】
更に、後述の情報記録装置により検出されたプリ情報に基づいて記録される記録情報においても、図２に示す記録フォーマットと同様のフォーマットにより記録される。このとき、記録情報においては、一のシンクフレームのうち、先頭の１４Ｔ以外の位置に記録すべき画像情報等のデータが記録されるが、プリ情報においては、一のシンクフレームにおいては、先頭の１４Ｔ以外の位置には何も情報が記録されない。
【００１９】
次に、図２に示した記録フォーマットを有するプリピット４を図１に示すように形成するための本実施形態に係るカッティング装置について、図３乃至図８を用いて説明する。
【００２０】
初めに、実施形態に係るカッティング装置の構成について図３乃至図５を用いて説明する。なお、図３乃至図５に示すカッティング装置は、本願によりプリピット４が形成されてプリ情報が記録された本願の情報記録媒体に対応するＤＶＤ−Ｒ１を大量生産するためのスタンパディスクを製作するためのものである。
【００２１】
先ず、カッティング装置の全体構成について、図３を用いて説明する。
【００２２】
図３に示すように、実施形態のカッティング装置Ｃは、記録すべきデータプリ情報ＳPPを生成するデータ発生部２０と、データプリ情報ＳPPをパラレル／シリアル変換するパラレル／シリアル変換器２１と、本発明の特徴であり、データプリ情報ＳPPに基づき、図２に示す記録フォーマットでプリピット４を形成するための記録プリ情報ＳRを生成するプリフォーマット用エンコーダ２２と、プリフォーマット用エンコーダ２２に対してプリフォーマッティングに使用するクロック信号ＣＬＫ（周期は上記Ｔとされている。）を出力するクロック信号発生部２３と、ＤＶＤ−Ｒ１の基板に対して図１に示すグルーブトラック２を形成するための光ビームＬGを出射すると共に、図１に示すランドトラック３及びプリピット４を形成するための光ビームＬLを出射するレーザ発生装置２４と、出射された光ビームＬLを記録プリ情報ＳRに基づいて変調する光変調器２５と、光ビームＬG及びＬLをスタンパディスク上に集光する対物レンズ２６と、スタンパディスクを回転させるスピンドルモータ２９と、スタンパディスクの回転数を検出する回転検出器３０と、検出された回転数に基づいて、スタンパディスクの回転をサーボ制御すると共に、スタンパディスクの一回転に一回の一回転検出信号ＳSをプリフォーマット用エンコーダ２２に出力する回転サーボ回路３１と、螺旋状のグルーブトラック２及びランドトラック３を形成するために、スタンパディスクの回転に対応してスピンドルモータ２９及びスタンパディスクを当該スタンパディスクの半径方向に送る送りユニット３２と、送りユニット３２の位置を検出する位置検出器３３と、検出された送りユニット３２の位置に基づいて送りユニットの移動をサーボ制御する送りサーボ回路３４とにより構成されている。ここで、レーザ発生装置２４は、光ビームＬGを出射する出射装置２４Gと、光ビームＬLを出射する出射装置２４Lとにより構成される。そして、光ビームＬLは光変調器２５により記録プリ情報ＳRに基づいて変調されるが、光ビームＬGは図示しないＤＣ（直流）駆動装置により常に一定の強度を保ちつつスタンパディスクに照射される。更に、ランドトラック３を形成する光ビームＬLとグルーブトラック２を形成する光ビームＬGは、照射位置をスタンパディスクの半径方向にずらしつつ照射され、同心螺旋状のランドトラック３とグルーブトラック２を同時に形成していく。
【００２３】
一方、スタンパディスクは、スタンパディスク本体としてのガラス基盤２７と、ガラス基盤上にコーティングされたプリピットを形成するためのレジスト（感光材）２８とにより構成されている。
【００２４】
なお、以上の構成において、レーザ発生装置２４、光変調器２５及び対物レンズ２６により記録手段を構成している。
【００２５】
次に、プリフォーマット用エンコーダ２２の細部構成について、図４を用いて説明する。
【００２６】
図４に示すように、プリフォーマット用エンコーダ２２は、入力されたクロック信号ＣＬＫに基づいて、図２に示す各シンクフレームを示すフレーム信号のタイミングに基づき、ＥＶＥＮフレームに対応するＥＶＥＮフレーム信号ＳEと、ＯＤＤフレームに対応するＯＤＤフレーム信号ＳOを出力するとともに、一のＥＶＥＮフレームに対応するＥＶＥＮフレーム信号ＳEが発生する度にリセットされる後述のＥＶＥＮフレームカウンタから出力されるＥＶＥＮフレームカウント信号ＳECを出力するプリ情報タイミング信号生成手段、偶数プリ情報タイミング信号生成手段及び奇数プリ情報タイミング信号生成手段としてのフレーム信号発生器４０と、クロック信号ＣＬＫ及び一回転検出信号ＳSに基づいてスタンパディスクにおける一周に対応する期間に記録するプリピット４を形成するシンクフレームをＥＶＥＮフレームとするか又はＯＤＤフレームとするかの判別のためのゲート信号ＳGを出力するＯＤＤ・ＥＶＥＮ判定用ゲート信号発生器４１と、ＥＶＥＮフレーム信号ＳE及びゲート信号ＳG並びに一回転検出信号ＳSに基づいて、プリピット４を記録すべきシンクフレームをＥＶＥＮフレームとするか或はＯＤＤフレームとするかを判定するための判定信号ＳJを出力する選択手段としての判定器４２と、判定信号ＳJに基づいて、ＥＶＥＮフレーム信号ＳE又はＯＤＤフレーム信号ＳOを選択的に切り換えて出力するための選択手段としてのスイッチ４３と、スイッチ４３から出力されたＥＶＥＮフレーム信号ＳE又はＯＤＤフレーム信号ＳOとパラレル／シリアル変換器２１から出力されたデータプリ情報ＳPPとの論理積を算出して論理積信号ＳAを出力するアンド回路４４と、スイッチ４３から出力されたＥＶＥＮフレーム信号ＳE又はＯＤＤフレーム信号ＳOとに基づき、判定信号ＳJを用いて、ＥＶＥＮフレームに記録される同期プリ情報におけるシンクパターン又はＯＤＤフレームに記録される同期プリ情報におけるシンクパターンのいずれか一方に対応するシンク信号ＳYを出力すると共に、後述の遅延フリップフロップ回路４７における遅延量を制御するデータラッチパルスＳLを出力するシンクパターン発生器４５と、スイッチ４３から出力されたＥＶＥＮフレーム信号ＳE又はＯＤＤフレーム信号ＳOに基づき、同期プリ情報とデータプリ情報を切り換えるためのシンク／データ切換信号ＳCを出力するシンク・データ切換信号発生器４６と、データラッチパルスＳL及び論理積信号ＳAに基づいて、当該論理積信号ＳAを２Ｔ期間だけ遅延させた遅延論理積信号ＳADを出力する遅延フリップフロップ回路４７と、シンク／データ切換信号ＳCに基づいて、遅延論理積信号ＳAD又はシンク信号ＳYを切り換えて、記録プリ情報ＳRとして出力するスイッチ４８とにより構成されている。なお、上記の構成において、スイッチ４３は、通常はＥＶＥＮフレーム信号ＳE側に切り換えられている。また、スイッチ４８は、通常は遅延論理積信号ＳAD側に切り換えられている。
【００２７】
次に、フレーム信号発生器４０及びＯＤＤ・ＥＶＥＮ判定用ゲート信号発生器４１の細部構成について、図５を用いて説明する。
【００２８】
図５に示すように、フレーム信号発生器４０は、クロック信号ＣＬＫに基づいて、ＯＤＤフレーム信号ＳOを発生すべきタイミングからの経過時間を計時してＯＤＤフレームカウント信号ＳOCを出力するＯＤＤフレーム用カウンタ５０と、クロック信号ＣＬＫに基づいて、ＥＶＥＮフレーム信号ＳEを発生すべきタイミングからの経過時間を計時してＥＶＥＮフレームカウント信号ＳECを出力するＥＶＥＮフレーム用カウンタ５１と、ＯＤＤフレーム用カウンタ５０から出力されたＯＤＤフレームカウント信号ＳOCに基づいて、次のＯＤＤフレーム信号ＳOを出力すべき時間になったとき、長さ２ＴのパルスをＯＤＤフレーム信号ＳOとして出力するデコーダ５２と、ＥＶＥＮフレーム用カウンタ５１から出力されたＥＶＥＮフレームカウント信号ＳECに基づいて、次のＥＶＥＮフレーム信号ＳEを出力すべき時間になったとき、長さ２ＴのパルスをＥＶＥＮフレーム信号ＳEとして出力するデコーダ５３とにより構成されている。
【００２９】
一方、図５に示すように、ＯＤＤ・ＥＶＥＮ判定用ゲート信号発生器４１は、ＥＶＥＮフレームカウント信号ＳEC及び一回転検出信号ＳSに基づいて、一の一回転検出信号ＳSが入力される度に（換言すれば、スタンパディスクが一回転する度に）、そのときのＥＶＥＮフレームカウント信号ＳECの値をラッチする記憶手段としてのラッチ回路６０と、クロック信号ＣＬＫ及び一回転検出信号ＳSに基づいて、上記のＥＶＥＮフレーム用カウンタ５１と同じ値及び周期でリセットされつつ計時すると共に、一回転検出信号ＳSが入力される度に、その値がラッチ回路６０に記録されている値に更新されるゲート用カウント信号ＳGCを出力するゲート用カウンタ６１と、ゲート用カウント信号ＳGCに基づいて、ゲート用カウンタ６１の値が最大値となってリセットされる度に所定の長さのゲート信号ＳGを出力するモノマルチバイブレータ６２とにより構成されている。
【００３０】
以上の構成を有するカッティング装置Ｃについて、次に、その動作を図６乃至図８に示すタイミングチャートを用いて説明する。
【００３１】
初めに、図６（ａ）を用いて、ＯＤＤフレーム信号ＳOとＥＶＥＮフレーム信号ＳEとを生成するフレーム信号発生器４０の動作について説明する。
【００３２】
図６（ａ）に示すように、フレーム信号が一シンクフレームの長さ１４８８Ｔに間隔でパルスが発生しているのに対し、ＯＤＤフレーム信号ＳOは、第１番目のシンクフレームに対応するタイミングからフレーム信号の２倍の間隔で夫々２Ｔの長さのパルスが発生する。このＯＤＤフレーム信号ＳOのパルスは、ＯＤＤフレーム用カウンタ５０において、第１番目のシンクフレームのタイミングから２９７６Ｔ（＝１４８８Ｔ×２）に対応する時間を計時し、この時間が経過する度に、デコーダ５２において長さ２Ｔのパルスを発生することを繰返すことにより連続して発生される。
【００３３】
一方、ＥＶＥＮフレーム信号ＳEは、第０番目のシンクフレームに対応するタイミングからフレーム信号の２倍の間隔で夫々２Ｔの長さのパルスが発生する。このＥＶＥＮフレーム信号ＳEは、ＯＤＤフレーム信号ＳOの場合と同様に、ＥＶＥＮフレーム用カウンタ５１において、第０番目のシンクフレームのタイミングから２９７６Ｔに対応する時間を計時し、この時間が経過する度に、デコーダ５３において長さ２Ｔのパルスを発生することを繰返すことにより連続して発生される。なお、このとき、ＥＶＥＮフレーム用カウンタ５１が出力するＥＶＥＮフレーム用カウント信号ＳECは、ＯＤＤ・ＥＶＥＮ判定用ゲート信号発生器４１内のラッチ回路６０に出力されている。
【００３４】
次に、図７を用いて、ＯＤＤ・ＥＶＥＮ判定用ゲート信号発生器４１の動作を説明する。
【００３５】
図７に示すように、フレーム信号発生器４０において、フレーム信号に対応してＥＶＥＮフレーム信号ＳEを生成するためのＥＶＥＮフレーム用カウント信号ＳECが生成されると、ラッチ回路６０は、一回転検出信号ＳSが入力されるタイミングにおけるＥＶＥＮフレーム用カウント信号ＳECの値をラッチ（記憶）する。
【００３６】
このとき、ゲート用カウンタ６１は、クロック信号ＣＬＫに基づいてＥＶＥＮフレーム用カウンタ５１と同じ値及び周期でリセットされつつ計時しているが、一の一回転検出信号ＳSが入力される度にそのときのラッチ回路６０に記憶されている値に更新され、その値から計時することを繰返す。すなわち、ゲート用カウンタ６１は、スタンパディスクにおける一回転前のＥＶＥＮフレーム用カウンタ５１と同じ動作を当該一回転の直後の一回転において繰返すこととなる。換言すれば、ゲート用カウンタ６１の値には、一回転前のＥＶＥＮフレームに記録されたプリピット４の位置情報が含まれていることとなる。
【００３７】
そして、このゲート用カウンタ６１の値が最大値となってリセットされる度にモノマルチバイブレータ６２がゲート信号ＳGとしてのパルス信号を生成する。従って、このゲート信号ＳGにも一回転前のＥＶＥＮフレームに記録されたプリピット４の位置情報が含まれていることとなる。このゲート信号ＳGのパルス幅としては、同期プリ情報の長さ１４Ｔに、スタンパディスク一回転分に相当するランドトラック３の長さにおけるスタンパディスクが一回転することによって増加する増加分Δ（より具体的には、Δ＝２×π×（ランドトラック３相互間のトラックピッチ））に相当する長さを加えた、（１４Ｔ＋Δ）のパルス幅とされる。
【００３８】
次に、判定器４２の動作について、図６（ｂ）を用いて説明する。
【００３９】
図６（ｂ）に示すように、判定器４２においては、ＥＶＥＮフレーム信号ＳEがゲート信号ＳGの範囲内にある場合に、そのＥＶＥＮフレーム信号ＳEの立ち上がりタイミングにおいて、通常はＥＶＥＮフレーム信号ＳE側に切り換わっているスイッチ４３をＯＤＤフレーム信号ＳO側に切り換えるべく、図６（ｂ）に示すような判定信号ＳJを出力し、これによりスイッチ４３はＯＤＤフレーム信号ＳOをアンド回路４４に出力する。
【００４０】
従って、通常は、ＥＶＥＮフレーム信号ＳEがアンド回路４４に出力されることにより、当該ＥＶＥＮフレーム信号ＳEに基づき、ＥＶＥＮフレームの位置にプリピット４が形成されてプリ情報が記録されることとなるが、判定器４２において、ＥＶＥＮフレーム信号ＳEがゲート信号ＳGの範囲内に入った場合、すなわち、スタンパディスクにある回転の一回転前のプリピット４に位置（ゲート信号ＳGにその情報が含まれている。）が当該回転におけるプリピットの位置（ＥＶＥＮフレームの位置）に近い（一回転前のプリピット４の位置に対して（１４Ｔ＋Δ）の範囲に入っている）場合には、スイッチ４３をＯＤＤフレーム信号ＳO側に切り換えるべく判定信号ＳJが出力され、当該回転におけるプリピット４はＯＤＤフレームの位置に形成されることとなる。
【００４１】
そして、ＯＤＤフレームの位置にプリピット４が記録されている状態で一回転したことが一回転検出信号ＳSにより検出されると、その後の回転においては、再びＥＶＥＮフレームの位置にプリピット４を形成すべく、スイッチ４３をＥＶＥＮフレーム信号ＳE側に切り換えるための判定信号ＳJが判定器４２から出力される。
【００４２】
次に、アンド回路４４及び遅延フリップフロップ回路４７の動作について図６（ｃ）を用いて説明する。
【００４３】
アンド回路４４は、スイッチ４３から出力されたＥＶＥＮフレーム信号ＳE又はＯＤＤフレーム信号ＳOとパラレル／シリアル変換器２１から出力されたデータプリ情報ＳPPとの論理積を算出して２Ｔのパルス幅を有する論理積信号ＳAを出力するが、これは、データプリ情報ＳPPを、１ビットづつ分解し、一のシンクフレームには、１ビットのデータプリ情報ＳPP（“１”に対応する）（図２参照）のみ２Ｔのパルス幅で記録するためである。
【００４４】
そして、遅延フリップフロップ回路４７においては、シンクパターン発生器４５からのラッチデータパルスＳLに基づいて、上記論理積信号ＳAを２Ｔの時間だけ遅延させて遅延論理積回路ＳADを生成する。その後、この遅延論理積回路ＳADを記録すべきデータプリ情報としてスイッチ４８に出力する。
【００４５】
ここで、遅延フリップフロップ回路４７において論理積信号ＳAを遅延させるのは、後述の記録情報装置においては、プリピットに隣接するグルーブトラック２上に記録信号における同期信号（１４Ｔの長さを有している）が記録されるのであるが、このとき、論理積信号ＳAを遅延させないと、記録信号における同期信号の立ち上がりタイミングとプリ情報の立ち上がりタイミングが同じとなる場合があり、その場合には、プリ情報と同期信号の分離再生が困難となるからである。また、論理積信号ＳAの遅延量を２Ｔとしたのは、記録信号の記録時におけるジッタ等の影響により、同期信号の立ち上がりタイミングとプリ情報の立ち上がりタイミングが近接することを防止するためのマージンを考慮して２Ｔとしたものである。
【００４６】
次に、シンクパターン発生器４５の動作について、図８（ａ）を用いて説明する。
【００４７】
シンクパターン発生器４５は、判定器４２から出力されている判定信号ＳJがＥＶＥＮフレーム信号ＳEを示すものである場合には、スイッチ４３から出力されたＥＶＥＮフレーム信号ＳEに対応して、図８（ａ）に示すようなシンクパターンを有するＥＶＥＮ同期プリ情報を生成してシンク信号ＳYとしてスイッチ４８に出力する。
【００４８】
一方、判定器４２から出力されている判定信号ＳJがＯＤＤフレーム信号ＳOを示すものである場合には、スイッチ４３から出力されたＯＤＤフレーム信号ＳOに対応して、図８（ａ）に示すようなシンクパターンを有する０ＤＤ同期プリ情報を生成してシンク信号ＳYとしてスイッチ４８に出力する。
【００４９】
これらの動作と並行して、シンクパターン発生器４５は、クロック信号ＣＬＫを１Ｔ期間伸張して２Ｔの周期を有するデータラッチパルスＳLを生成し、上記遅延フリップフロップ回路４７へ出力する（図６（ｃ）参照）。
【００５０】
最後に、シンク・データ切換信号発生器４６の動作について、図８（ｂ）を用いて説明する。
【００５１】
図８（ｂ）に示すように、シンク・データ切換信号発生器４６では、スイッチ４３から出力された信号がＥＶＥＮフレーム信号ＳEである場合には、当該ＥＶＥＮフレームのうち、第０番目のＥＶＥＮフレーム信号ＳEの位置にＥＶＥＮ同期プリ情報を記録すべく、当該第０番目のＥＶＥＮフレーム信号ＳEのタイミングの立ち上がりタイミングから１４Ｔの期間（ＥＶＥＮ同期プリ情報の長さに対応する）“Ｈ”となるシンク／データ切換信号ＳCを出力する。これにより、スイッチ４８が第０番目のＥＶＥＮフレーム信号ＳEの立ち上がりタイミングから１４Ｔの期間だけシンク信号ＳY側に切り換えられ、これにより、第０番目のＥＶＥＮフレーム信号ＳEの位置にシンクパターン発生器４５から出力されたＥＶＥＮ同期プリ情報が記録されることとなる。
【００５２】
一方、スイッチ４３から出力された信号がＯＤＤフレーム信号ＳOである場合には、当該ＯＤＤフレームのうち、第１番目のＯＤＤフレーム信号ＳOの位置にＯＤＤ同期プリ情報を記録すべく、当該第１番目のＯＤＤフレーム信号ＳOの立ち上がりタイミングから１４Ｔの期間（ＯＤＤ同期プリ情報の長さに対応する）“Ｈ”となるシンク／データ切換信号ＳCを出力する。これにより、スイッチ４８が第１番目のＯＤＤフレーム信号ＳOの立ち上がりタイミングから１４Ｔの期間だけシンク信号ＳY側に切り換えられ、これにより、第１番目のＯＤＤフレーム信号ＳOの位置にＯＤＤ同期プリ情報が記録されることとなる。
【００５３】
以上説明した本実施形態のカッティング装置Ｃの動作について、その特徴となる部分を纏めると、本実施形態のカッティング装置Ｃのうち、特にＯＤＤ・ＥＶＥＮ判定用ゲート信号発生器４１及び判定器４５の動作により、スタンパディスクにおける一回転前のプリピット４の位置（通常はＥＶＥＮフレーム位置に記録されている）が次に回転におけるプリピット４の位置に近い場合、より具体的には、一回転前のプリピット４の位置の情報を含んだゲート信号ＳGの範囲に当該次の回転におけるＥＶＥＮフレーム信号ＳEが入ることが判定器４２において判定された場合には、当該次の回転におけるプリピット４はＯＤＤフレーム信号ＳOの位置に記録されるように記録プリ情報ＳRが生成され、これに基づいて光変調器２５により光ビームＬLが変調され、プリピット４を含むランドトラック３がＤＶＤ−Ｒ１に形成される。このとき、当該光ビームＬLと同時に出力される光ビームＬGによりランドトラック３に並行するようにグルーブトラック２が形成される。
【００５４】
以上説明したように、本実施形態のカッティング装置Ｃによれば、プリピット４は、スタンパディスクの一回転においては、ＥＶＥＮフレームに対応する位置のみ又はＯＤＤフレームに対応する位置のみに形成されるので、全てのシンクフレーム毎にプリピット４が記録される場合に比してＤＶＤ−Ｒ１全体におけるプリピット４の数を削減することができ、プリピット４が形成されたＤＶＤ−Ｒ１に対してグルーブトラック２を形成するための色素膜５（図１参照）を形成する際に当該色素膜５を設計上必要な所定の厚さを有する層とすることができる。
【００５５】
この効果について説明すると、一般に、ランドトラック３へのプリピット４の形成においては、プリ情報をいち早く検出するため、所定のランドトラック３の部分に一箇所に纏めて全てのプリピット４を形成すると共に、当該プリピット４を所定の間隔でランドトラック３上に複数回繰返して形成することによりプリ情報を記録することが行われる。
【００５６】
ところで、実際にＤＶＤ−Ｒ１を製作する際には、先ず初めに、グルーブトラック２及びランドトラック３と共に必要なプリピット４を形成し、その後、色素膜５の材料をスピンコート等の方法により当該ＤＶＤ−Ｒ１上に塗布し、これをベーキング（加熱）処理等することにより必要な膜厚の記録層を形成することが行われる。
【００５７】
しかしながら、上記のように、必要なプリピット４をランドトラック３上の一箇所に纏めて形成する方法では、通常、プリピット４の上面（光ビームの照射される方向を上とした場合）とグルーブトラック２の上面は面一となる（図１参照）ので、本来グルーブトラック２上に留るべき色素膜５の材料がプリピット４に流れ込み、グルーブトラック２に対して設計上必要な所定の膜厚の色素膜５を形成することができないのである。そして、所定の膜厚の色素膜５が形成されない場合には、当該色素膜５に形成されたピットにより記録された記録情報を再生する際に、再生信号における直流（ＤＣ）成分が変化したり、当該ピット形状の不安定化によるジッタが発生し、記録情報の正確な再生ができないこととなる。
【００５８】
これに対し、上述のように、本実施形態のカッティング装置Ｃによれば、全てのシンクフレーム毎にプリピット４が記録される場合に比してプリピット４の数を削減することができると共に、１のシンクフレームでは２Ｔの長さのプリピット４のみが形成されるので、プリピット４が形成されたＤＶＤ−Ｒ１に対して色素膜５を形成する際に当該色素膜５を設計上必要な所定の厚さを有する層とすることができ、上述したような直流（ＤＣ）成分の変化や、ピット形状の不安定化によるジッタの発生を防止し、記録情報の正確な再生が行える。
【００５９】
更に、本実施形態のカッティング装置Ｃによれば、スタンパディスクにおける一回転前のＥＶＥＮフレーム位置に記録されたプリピット４の位置が次の回転におけるプリピット４の位置の近い場合には、当該次の回転においては、ＯＤＤフレームの位置にプリピット４が形成され、更にそのまま一回転した後は、元のＥＶＥＮフレーム位置にプリピット４が形成されるので、隣り合うガイドトラック３においては、プリピット４の位置が重なることがなく、後述の記録情報の記録におけるプリ情報の検出において、一のガイドトラック３上のプリ情報を読み取る際に、隣り合うガイドトラック３のプリ情報が洩れ込むことを防止することができ、正確なプリ情報の読み取りを行うことができる。
【００６０】
なお、このとき、ゲート信号ＳGが、スタンパディスクにおける一回転毎のランドトラック３の一周に対応する長さの増加分Δを含んだ長さ（１４Ｔ＋Δ）のパルス幅とされているので、スタンパディスク上の半径位置の変化により隣り合うランドトラック３上のプリピット４の位置が近接することがない。従って、スタンパディスク上のいずれの部分においても、隣り合うランドトラック３上のプリピット４の位置を半径方向の同一直線上にない位置とすることができる。
【００６１】
また、一のガイドトラック３におけるプリ情報の記録の際に用いられたフレーム信号を記憶して隣り合うガイドトラック３におけるプリ情報の記録の際のフレーム信号を出力するので、簡単な構成で一のガイドトラック３のプリピット４の位置と隣り合うガイドトラック３の位置とを異ならせることができる。
【００６２】
（II）情報記録装置の実施形態
次に、本願に対応する実施形態である情報記録装置の実施形態について、図９乃至図１３を用いて説明する。
【００６３】
初めに、図９を用いて、実施形態の情報記録装置の全体構成について説明する。
【００６４】
図９に示すように、実施形態の情報記録装置Ｒは、図示しないレーザダイオード及び後述の対物レンズ、偏向ビームスプリッタ及び光検出器等を含み、上述のカッティング装置Ｃによりガイドトラック３、プリピット４及びグルーブトラック２が形成されたＤＶＤ−Ｒ１対して、当該プリピット４を読み取ってプリ情報を検出すると共に、画像情報等の記録情報を記録するための記録光としての光ビームＢを出射する検出手段及び記録手段としてのピックアップ７０と、プックアップ７０により後述のタンジェンシャルプッシュプル法により検出された再生信号からプリピット信号（プリ情報ＳP）を検出するプリピット信号検出器７１と、検出されたプリ情報ＳP（同期プリ情報とデータプリ情報を含む。）を波形整形する波形整形器７２と、基準データ転送クロック発生部７４から出力される基準データ転送クロックと検出されたプリピット信号とを位相比較し、プリ情報ＳPに同期したデータ転送クロックを出力するＰＬＬ（Phase Locked Loop）回路７３と、ＤＶＤ−Ｒ１を回転させるためのスピンドルモータ７５と、検出されたプリピット信号とスピンドルモータ７５から出力される回転数検出信号とを位相比較して、スピンドルエラー信号をスピンドルモータ７５に出力することにより、スピンドルモータ７５の回転数を所定数にサーボ制御するＰＬＬ回路７６と、検出されたプリピット信号としてのプリ情報ＳPから同期プリ情報ＳSY（シンクパターンは、図２に示すＥＶＥＮ同期プリ情報又はＯＤＤ同期プリ情報となる。）を分離するシンクセパレータ７７と、シンクセパレータ７７から出力された同期プリ情報ＳSYにより開とされるゲート７８Ａを備え、ＰＬＬ７３から出力されたデータ転送クロックに基づき、外部から入力された記録すべき記録信号としての入力信号ＳDを８−１６変調することにより記録情報ストリームＳDSを生成し、これを上記ゲート７８Ａが開とされたときに出力する生成手段としての８−１６エンコーダ７８と、検出されたプリ情報ＳPをシリアル／パラレル変換し、後述のＣＰＵ８０からのインタラプト信号ＳIにより要求された場合に、当該プリ情報ＳP中のアドレス情報ＳADを出力するシリアル／パラレル変換器７９と、外部からの記録／再生切り換え信号により記録情報の書き込み指令が入力されるとインタラプト信号ＳIを出力し、それによって取得したアドレス情報ＳADに基づく準備信号ＳRDを出力するＣＰＵ８０と、８−１６エンコーダ７８から出力され、遅延量が微調整された記録情報ストリームＳDSをパルス制御して出力するパルス制御器８１と、パルス制御された記録情報ストリームＳDSに基づき、駆動信号ＳDRを出力して図示しないレーザダイオードを駆動し、記録光としての光ビームＢを出力させるＬＤ（LASER Diode）ドライバ８２とにより構成されている。
【００６５】
次に、情報記録装置Ｒにおいてプリ情報ＳPの検出に用いられる上記のタンジェンシャルプッシュプル法について、ピックアップ７０及びプリピット信号検出器７１の細部構成と共に、図１０及び図１１を用いて説明する。
【００６６】
タンジェンシャルプッシュプル法とは、ＤＶＤ−Ｒ１の回転方向におけるプッシュプル法のことをいい、ＤＶＤ−Ｒ１のランドトラック３上に形成された光ビームＢによる光スポットＳＰからの反射光を、プリピット４の移動方向（ディスクの回転方向）に対して光学的に垂直な分割線により二の部分検出器に分割された光検出器における当該部分検出器の差信号に基づいて上記プリ情報を再生する方法である。
【００６７】
すなわち、より具体的には、図１０に示すように、図示しないレーザダイオード等で生成された記録光（プリピット４に対しては、再生光となる。）としての光ビームＢは、偏光ビームスプリッタ９１で反射され、対物レンズ９０によりＤＶＤ−Ｒ１（図１参照）のグルーブトラック２及びランドトラック３上に集光される。そして、プリピット４により変調されるとともにＤＶＤ−Ｒ１による反射で偏光面が回転された光ビームＢの反射光が、偏光面の回転により偏光ビームスプリッタ９１を透過して、ＤＶＤ−Ｒ１の回転方向に光学的に垂直な分割線で二の部分検出器９２Ａ及び９２Ｂに分割された光検出器９２の夫々の受光面に照射され検出される。各部分検出器９２Ａ及び９２Ｂの受光出力（以下の説明では、各部分検出器の出力を符号Ａ及びＢで示す。）は、プリピット信号検出器７１を構成する減算器９３により減算され、その差信号（Ａ−Ｂ）は再生信号（プリピット情報ＳP）として波形整形器７２に出力される。
【００６８】
次に、光検出器９２及び減算器９３による差信号（タンジェンシャルプッシュプル信号）（Ａ−Ｂ）の生成について、図１１を用いて説明する。
【００６９】
図１１において、図１１（ａ）にＤＶＤ−Ｒ１の回転方向の断面図を示す形状のプリピット４からの反射光を光検出器９２で受光すると、部分検出器９２Ａ及び９２Ｂの受光出力は、その位置的なずれに基づき、図１１（ｂ）に示すように位相がずれたＲＦ（Radio Frequency）信号（Ａ及びＢ）としてそれぞれの部分検出器９２Ａ及び９２Ｂから出力される。そして、減算器９３によりそれぞれのＲＦ信号の差をとることにより、図１１（ｂ）に示す差信号（タンジェンシャルプッシュプル信号）（Ａ−Ｂ）が生成されるのである。
【００７０】
次に、上述のタンジェンシャルプッシュプル法により検出されたプリ情報ＳPに基づく記録情報の記録のための情報記録装置Ｒの動作について、図１２に示すフローチャート用いて説明する。
【００７１】
初めに、図１２（ａ）を用いてＣＰＵ８０の動作を中心として説明する。
【００７２】
図１２（ａ）に示すように、ＣＰＵ８０においては、初めに、外部から記録情報の書き込み指令が入力されたか否かが判定され（ステップＳ１）、書き込み指令が入力されない場合は（ステップＳ１；ＮＯ）そのまま待機し、書き込み指令が入力された場合には（ステップＳ１；ＹＥＳ）、次に、当該記録すべき記録情報に対応するアドレス情報ＳADを取得するため、インタラプト信号ＳIをシリアル／パラレル変換器７９に出力する（ステップＳ２）。なお、ステップＳ１及びＳ２の処理と並行して、スピンドルモータ７５によってＤＶＤーＲ１が回転され、これに対応して光ビームＢを照射することによりＤＶＤ−Ｒ１のランドトラック３に形成されているプリピット４からのプリ情報ＳPの取得が行われている。
【００７３】
ステップＳ２においてインタラプト信号ＳIが出力されると、当該インタラプト信号ＳIに対応してシリアル／パラレル変換器７９から入力されたアドレス情報ＳADが、記録すべき記録情報に対応する所定のアドレス情報ＳADであるか否かを判定し（ステップＳ３）、上記所定のアドレス情報ＳADでない場合には（ステップＳ３；ＮＯ）、再度他のアドレス情報ＳADを取得するためインタラプト信号ＳIを出力すべくステップＳ２に戻る。
【００７４】
一方、取得されたアドレス情報ＳADが所定のアドレス情報ＳADである場合には（ステップＳ３；ＹＥＳ）、当該所定のアドレス情報ＳADが取得されたことにより、８−１６エンコーダ７８に対して記録情報ストリームＳDSの出力を準備させるべく準備信号ＳRDを出力し（ステップＳ４）、処理を終了する。
【００７５】
次に、準備信号ＳRDが入力される８−１６エンコーダ７８における動作について、図１２（ｂ）を用いて説明する。
【００７６】
図１２（ｂ）に示すように、８−１６エンコーダ７８においては、初めに、ＣＰＵ８０から準備信号ＳRDが入力されたか否かが判定され（ステップＳ１０）、入力されていない場合には（ステップＳ１０；ＮＯ）入力されるまで待機し、準備信号ＳRDが入力された場合には（ステップＳ１０；ＹＥＳ）、シンクセパレータ７７から検出されたプリ情報ＳPにおける同期プリ情報ＳSYが入力されたか否か、すなわち、レコーディングセクタの先頭が検出されたか否かが判定され（ステップＳ１１）、検出されない場合には（ステップＳ１１；ＮＯ）次の準備信号ＳRDが入力するまで待機するためにステップＳ１０に戻り、同期プリ情報ＳSYが検出された場合には（ステップＳ１１；ＹＥＳ）、次にーのＥＣＣブロック期間（２６レコーディングセクタ期間）計時し（ステップＳ１２）、当該計時が終了していない場合には（ステップＳ１２；ＮＯ）終了するまで待機し、終了した場合には（ステップＳ１２；ＹＥＳ）、入力信号ＳDを８−１６変調し、ゲート７８Ａを開とすることにより記録情報ストリームＳDSの出力を開始する（ステップＳ１４）。なお、記録情報ストリームＳDSの出力はＰＬＬ回路７３からのデータ転送クロックに基づいて行われる。また、記録情報ストリームＳDSにおいては、一のシンクフレーム毎に夫々の先頭（プリ情報におけるプリピット４が形成される位置）に同期信号（長さ１４Ｔ）が付加されている。ここで、ステップＳ１２及び１３において、ーのＥＣＣブロック期間計時するのは、確実にＥＣＣブロックの先頭から記録情報を記録するためである。
【００７７】
８−１６エンコーダ７８から記録情報ストリームＳDSが出力された後は、当該記録情報ストリームＳDSがパルス制御器８１によりパルス制御され、ＬＤドライバ８２により当該記録情報ストリームＳDSに対応した駆動信号ＳDRが出力され、この駆動信号ＳDRによりピックアップ７０中の図示しないレーザダイオードが駆動されて光ビームＢが出射され、記録情報ストリームＳDSに対応した記録情報ピットがグルーブトラック２上に形成されて記録情報の記録が行われる。なお、８−１６変調法により入力信号ＳDを変調した場合には、ＤＶＤ−Ｒ１上に形成される記録情報ピットの長さは、３Ｔから１４Ｔの間の長さとなる。
【００７８】
ここで、上記の８−１６エンコーダ７８における動作（図１２（ｂ）参照）により、プリピット４における同期プリ情報と記録情報における同期信号が一致することになる。よって、一のレコーディングセクタ内では、同期プリ情報以降のデータプリ情報（上述のように、一のシンクフレームにおけるその先頭に２Ｔの長さで記録されている。）と記録情報における同期信号が同期することなる。すなわち、これを記録情報に対応する記録情報ピットＰDがグルーブトラック２上に記録されたＤＶＤ−Ｒ１で見てみると、図１３に示すように、請求項１６に記載の発明に対応して、プリピット４の隣には必ず記録情報における同期信号ピットＰSが形成されることとなる。なお、図１３は、ＤＶＤ−Ｒ１の回転方向に対してグルーブトラック２上に光スポットＳＰ（図１参照）を形成しつつ、当該グルーブトラック２の外周側（回転方向に向かって右側）に隣接するプリピット４を読み取る場合について示している。更に、夫々のプリピット４の回転方向の長さは２Ｔであり、これは８−１６変調により形成される記録情報ピットＰDのいずれの長さとも異なることとなる。
【００７９】
以上説明したように、実施形態の情報記録装置Ｒによれば、記録情報が、シンクフレーム毎に同期信号が付加されて記録されると共に、当該同期信号とプリ情報が同期して記録されるので、プリ情報と記録情報の双方が記録されたＤＶＤ−Ｒ１上においては、グルーブトラック２上の同期信号の位置と、ランドトラック３上のプリピット４の位置とが隣接することとなり、プリ情報の検出又は記録情報の再生において、記録情報とプリ情報の分離再生を容易にすることができ、正確なプリ情報の検出又は記録情報の再生を行うことができる。
【００８０】
更に、プリ情報に対応するプリピット４の回転方向の長さ（２Ｔ）が、記録情報に対応する記録情報ピットＰDのいずれの長さ（３Ｔ乃至１４Ｔ）とも異なる長さとなるので、記録情報の再生において、プリ情報との分離再生が確実に可能となり、正確な記録情報の再生を行うことができる。
【００８１】
更にまた、遅延フリップフロップ回路４７の動作により、シンクフレームの先頭に記録される各プリ情報（同期プリ情報又はデータプリ情報）における最初の２Ｔ期間が“Ｌ”とされているので（図２参照）、プリ情報に対応するプリピット４の位置と記録信号における同期信号の位置が隣接しても、双方が互いにクロストークとなることなく双方を検出することができる。
【図面の簡単な説明】
【００８２】
【図１】ランドトラックにプリピットを形成したＤＶＤ−Ｒの例を示す外観図である。
【図２】プリ情報又は記録情報の記録フォーマットを示す図である。
【図３】実施形態のカッティング装置の概要構成を示すブロック図である。
【図４】実施形態のプリフォーマット用エンコーダの概要構成を示すブロック図である。
【図５】実施形態のフレーム信号発生器及びＯＤＤ・ＥＶＥＮ判定用ゲート信号発生器の概要構成を示すブロック図である。
【図６】プリフォーマット用エンコーダの動作を示すタイミングチャート（Ｉ）であり、（ａ）はＥＶＥＮフレーム信号及びＯＤＤフレーム信号を示すタイミングチャートであり、（ｂ）は判定器の動作を示すタイミングチャートであり、（ｃ）はアンド回路及び遅延フリップフロップ回路の動作を示すタイミングチャートである。
【図７】フレーム信号発生器及びＯＤＤ・ＥＶＥＮ判定用ゲート信号発生器の動作を示すタイミングチャートである。
【図８】プリフォーマット用エンコーダの動作を示すタイミングチャート（II）であり、（ａ）はシンクパターン発生器の動作を示すタイミングチャートであり、（ｂ）はシンク・データ切り換え信号発生器の動作を示すタイミングチャートである。
【図９】実施形態の情報記録装置の概要構成を示すブロック図である。
【図１０】実施形態のピックアップ及びプリピット信号検出器の概要構成を示すブロック図である。
【図１１】タンジェンシャルプッシュプル信号の生成を説明する図であり、（ａ）はプリピット形状を示す断面図であり、（ｂ）はＲＦ信号及びタンジェンシャルプッシュプル信号の波形を示すグラフ図である。
【図１２】情報記録装置の動作を示すフローチャートであり、（ａ）はＣＰＵの動作を示すフローチャートであり、（ｂ）は８−１６エンコーダの動作を示すフローチャートである。
【図１３】記録情報が記録されたＤＶＤ−Ｒの記録面の平面図である。
【符号の説明】
【００８３】
１…ＤＶＤ−Ｒ
２…グルーブトラック
３…ランドトラック
４…プリピット
５…色素膜
６…金蒸着膜
７…保護層
２０…データ生成部
２１…パラレル／シリアル変換器
２２…プリフォーマット用エンコーダ
２３…クロック信号発生部
２４、２４G、２４L…レーザ発生装置
２５…光変調器
２６、９０…対物レンズ
２７…ガラス基盤
２８…レジスト
２９、７５…スピンドルモータ
３０…回転検出器
３１…回転サーボ回路
３２…送りユニット
３３…位置検出器
３４…送りサーボ回路
４０…フレーム信号発生器
４１…ＯＤＤ・ＥＶＥＮ判定用ゲート信号発生器
４２…判定器
４３、４８…スイッチ
４４…アンド回路
４５…シンクパターン発生器
４６…シンク・データ切り換え信号発生器
４７…遅延フリップフロップ回路
５０…ＯＤＤフレーム用カウンタ
５１…ＥＶＥＮフレーム用カウンタ
５２、５３…デコーダ
６０…ラッチ回路
６１…ゲート用カウンタ
６２…モノマルチバイブレータ
７０…ピックアップ
７１…プリピット信号検出器
７２…波形整形器
７３、７６…ＰＬＬ回路
７４…基準データ転送クロック発生器
７７…シンクセパレータ
７８…８−１６エンコーダ
７８Ａ…ゲート
７９…シリアル／パラレル変換器
８０…ＣＰＵ
８１…パルス制御器
８２…ＬＤドライバ
９１…偏光ビームスプリッタ
９２…光検出器
９２Ａ、９２Ｂ…部分検出器
９３…減算器
Ｃ…カッティング装置
ＣＬＫ…クロック信号
Ｒ…情報記録装置
ＬL、ＬG、Ｂ…光ビーム
ＳＰ…光スポット
ＳP…プリ情報
ＳPP…データプリ情報
ＳR…記録プリ情報
ＳS…一回転検出信号
ＳE…ＥＶＥＮフレーム信号
ＳEC…ＥＶＥＮフレームカウント信号
ＳO…ＯＤＤフレーム信号
ＳOC…ＯＤＤフレームカウント信号
ＳJ…判定信号
ＳL…データラッチパルス
ＳY…シンク信号
ＳC…シンク／データ切換信号
ＳG…ゲート信号
ＳGC…ゲート用カウント信号
ＳA…論理積信号
ＳAD…遅延論理積信号
ＳDR…駆動信号
ＳI…インタラプト信号
ＳAD…アドレス情報
ＳRD…準備信号
ＳSY…同期プリ情報
ＳD…入力信号
ＳDS…記録情報データストリーム
ＰD…記録情報ピット
ＰS…同期信号ピット
【図１】
2007128642.tif 000003
【図２】
2007128642.tif 000004
【図３】
2007128642.tif 000005
【図４】
2007128642.tif 000006
【図５】
2007128642.tif 000007
【図６】
2007128642.tif 000008
【図７】
2007128642.tif 000009
【図８】
2007128642.tif 000010
【図９】
2007128642.tif 000011
【図１０】
2007128642.tif 000012
【図１１】
2007128642.tif 000013
【図１２】
2007128642.tif 000014
【図１３】
2007128642.tif 000015